(57)【要約】【課題】自動降水サンプラーシステム及びその作動方法を提供する。【解決手段】自動降水サンプラーシステムは、上部に受水口を有するメインボディと、前記メインボディ内に配置される駆動部と、前記メインボディ内に配置され、前記駆動部により回転する円形テーブルと、前記円形テーブルの複数の放射方向の上に、且つ、前記円形テーブルの中心から所定の距離だけ離間された個所に等間隔に配列される複数のサンプル容器と、前記複数のサンプル容器のそれぞれの上部に配置され、いずれか１つが前記受水口と位置合わせされる漏斗と、を備える。【選択図】図１
2018141783.tif 000002
【特許請求の範囲】
【請求項１】
上部に受水口を有するメインボディと、
前記メインボディ内に配置される駆動部と、
前記メインボディ内に配置され、前記駆動部により回転する円形テーブルと、
前記円形テーブルの複数の放射方向の上に、且つ、前記円形テーブルの中心から所定の距離だけ離間された個所に配列される複数のサンプル容器と、
前記複数のサンプル容器のそれぞれの上部に配置され、いずれか１つが前記受水口と位置合わせされる漏斗と、
を備える、自動降水サンプラーシステム。
【請求項２】
前記複数のサンプル容器は、円形状に配列されたり等間隔に配列され、前記駆動部により回転する円形テーブル上において回転し、順次に前記受水口の下部に位置合わせされる、請求項１に記載の自動降水サンプラーシステム。
【請求項３】
前記円形テーブルは、前記複数のサンプル容器を固定したり支持したりする容器ホルダーを備える、請求項１に記載の自動降水サンプラーシステム。
【請求項４】
前記メインボディの外部に配置され、前記メインボディのカバー装置に連結され、前記駆動部に連結され、前記カバー装置及び前記駆動部の動作を制御するコントロールボックスを更に備える、請求項１に記載の自動降水サンプラーシステム。
【請求項５】
前記コントロールボックスのコントローラーは、入力信号又は所定の指令に従い前記カバー装置を制御して、前記メインボディの上部ボディに配設された受水口の蓋体を開閉し、前記入力信号又は所定の指令に従い前記駆動部を制御して、前記円形テーブルを所定の時間の間隔に所定の角度ずつ回転させる、請求項４に記載の自動降水サンプラーシステム。
【請求項６】
メインボディと、駆動部と、円形テーブル及びコントロールボックスを備える自動降水サンプラーシステムの作動方法であって、
前記メインボディの上部ボディの受水口の蓋体を開くステップと、
前記上部ボディの内部の円形テーブルに円形状に配列される複数のサンプル容器のうちのいずれか１つを前記受水口の下部に位置合わせさせるステップと、
前記コントロールボックスのメモリに保存されている所定の作動条件に従い、前記コントロールボックスのコントローラーが前記駆動部を制御して、前記円形テーブルを回転させ、前記複数のサンプル容器を所定の時間おきに順次に回転させるステップと、
を含む、自動降水サンプラーシステムの作動方法。
【請求項７】
前記回転させるステップ後に、前記複数のサンプル容器への降水の採水が終わったとき 又は前記所定の作動条件に従い前記受水口を覆うステップを更に含み、
前記コントロールボックスのタッチスクリーンには、前記ステップにおけるシステム状態や作動条件が表示される、請求項６に記載の自動降水サンプラーシステムの作動方法。
【発明の詳細な説明】
【技術分野】
【０００１】
本発明の実施の形態は、自動降水サンプラーシステム及びその作動方法に関する。
【背景技術】
【０００２】
人工増雪や人工降雨の実験効果を検証する方法としては、レーダー、ラジオメーター、光学雨積計、積雪計など地上観測及びＰＣＡＳＰ、ＣＣＮＣ、２ＤＰ、ＦＳＳＰ、ＣＩＰなど航空観測による物理的な研究、両地域の温度、風、雲への含水量が同じ条件であるときにランダムに１つの地域を選択し、他の地域は非シーディング地域となるランダムシーディング実験研究、数値模擬を通してのシーディング物質の拡散及びシーティング効果（シーディングモードの非シーディングモードでの降水量、雲の微細物理変数の変化）を検証するモデリング研究がある。
【０００３】
また、実験後に増えた降水が自然的な変動によるものであるか、或いは、実験によるものであるかを、観測を通して明確に区別することは困難であるため、目標とする地域における実験前後の降水内の化学成分の分析への取り組みも行われている。
【０００４】
韓国でも、実験の評価のために、 降水中の背景銀濃度（ｓｉｌｖｅｒ ｂａｃｋｇｒｏｕｎｄ ｃｏｎｃｅｎｔｒａｔｉｏｎ）の分布特性を調べたことがある。ポリエチレン製の内径２８．８ｃｍ、高さ３４．０ｃｍの円筒状の採水器を自体的に製作して地面から１．２メートルの個所に設置し、当日０９時から翌日０９時までを当日試料で分析した。
【０００５】
また、ジポリ等（Ｚｉｐｏｒｉ ｅｔ ａｌ．）は、シーディング物質が目標とする地域に達するかや、雲内におけるシーディング物質としてのヨード化銀（ＡｇＩ）の降水の形成過程への寄与有無を調べるために、直径２５ｃｍのプラスチック製漏斗に５０ｍ≡のポリプロピレン製チューブを連結して降水を採水したこともある。採水は、チューブに降水がいっぱいに満たされたときや、３０分又は１時間おきに１回ずつマニュアルでチューブを取り替えて行った。
【０００６】
また、 アイダホ電力会社（Ｉｄａｈｏ Ｐｏｗｅｒ Ｃｏｍｐａｎｙ；ＩＰＣ）は、アメリカ合衆国アイダホ南西部のペイエット川流域の積雪内の化学成分の分析のためにボイシ州立大学、カーティン大学とともに数年間に亘って積雪サンプリング研究を行った。ボイシ州立大学の場合、数十メートルの雪が積もった個所に穴を掘った後、直径３ｃｍのサンプルチューブを下方に数回差し込んで積雪サンプリングを行った。カーティン大学は、１ｃｍの厚さの薄い板を雪が積もった個所に差し込んで引っ張る方式で積雪サンプリングを行った。
【０００７】
以上において紹介された方法は、１日間の降水であるか、又は雪がたくさん積もっている個所でしか行うことができず、また人間が自ら行わなければならないという制約がある。
【発明の概要】
【発明が解決しようとする課題】
【０００８】
そこで、本発明は、上述した従来の技術の問題を解消するために案出されたものであり、本発明の目的は、上述した従来の技術における制約を極力排除し、時間に伴うシーディング効果を効率よく確認することのできる自動降水サンプラーシステム及びその作動方法を提供することである。
【課題を解決するための手段】
【０００９】
前記技術的な課題を解消するために、本発明の一側面による自動降水サンプラーシステム（以下、簡略に「自動降水サンプラー」と称する。）は、メインボディと、メインボディ内に配置される駆動部と、メインボディ内に配置され、駆動部により回転する円形テーブルと、円形テーブルにより中心部から離間された複数の放射方向に位置する複数のサンプル容器と、複数のサンプル容器のそれぞれの上部に配置される漏斗と、を備える。
【００１０】
一実施の形態において、前記自動降水サンプラーは、駆動部に連結され、駆動部の動作を制御するコントロールボックスを更に備えていてもよい。
【００１１】
一実施の形態において、自動降水サンプラーは、開始ボタンを押下すれば、最初に蓋体が自動的に開かれながら回転板（容器配設板）が回わってもよい。降水の採水時間は、設定タイマーにより調節可能である。降水の採水時間を１時間に設定すれば、１時間の間に採水が行われ、蓋体は開かれたままで回転板が回転して容器の個所まで回わっていき、配設された容器に所定の時間の間に降水受けを繰り返し行い、容器の数に見合う分だけの容器への降水受けが終わったら蓋体が閉じられ、自動的に終わってもよい。
【００１２】
一実施の形態において、自動降水サンプラーには、９個の採水容器が配設され、採水時間を１時間に設定すれば、９時間の間にサンプリングを行うことができる。受水口の直径は１９ｃｍであって、現業において用いられている雨量計の直径と略同じであってもよい。外部の要因による汚れを極力抑えるために、降水の採水のための漏斗及び容器は、１時間が経過すれば、他の漏斗及び容器に移動して採集してもよい。
【００１３】
前記技術的な課題を解消するために、本発明の他の側面による自動降水サンプラーシステムは、上部に受水口を有するメインボディと、メインボディ内に配置される駆動部と、メインボディ内に配置され、駆動部により回転する円形テーブルと、円形テーブルの複数の放射方向の上に、且つ、円形テーブルの中心から所定の距離だけ離間された個所に配列される複数のサンプル容器と、複数のサンプル容器のそれぞれの上部に配置され、いずれか１つが前記受水口と位置合わせされる漏斗と、を備える。
【００１４】
一実施の形態において、前記複数のサンプル容器は、円形状に配列されたり等間隔に配列され、前記駆動部により回転する円形テーブル上において回転し、順次に前記受水口の下部に位置合わせされてもよい。
【００１５】
一実施の形態において、前記円形テーブルは、前記複数のサンプル容器を固定したり支持したりする容器ホルダーを備えていてもよい。
【００１６】
一実施の形態において、自動降水サンプラーシステムは、前記メインボディの外部に配置され、前記メインボディのカバー装置に連結され、前記駆動部に連結され、前記カバー装置及び前記駆動部の動作を制御するコントロールボックスを更に備えていてもよい。
【００１７】
一実施の形態において、前記コントロールボックスのコントローラーは、入力信号又は所定の指令に従い前記カバー装置を制御して、前記メインボディの上部ボディに配設された受水口の蓋体を開閉し、前記入力信号又は所定の指令に従い前記駆動部を制御して、前記円形テーブルを所定の時間の間に所定の角度ずつ回転させてもよい。
【００１８】
前記技術的な課題を解消するために、本発明の他の側面による自動降水サンプラーシステムの作動方法は、メインボディと、駆動部と、円形テーブル及びコントロールボックスを備える自動降水サンプラーシステムの作動方法であって、前記メインボディの上部ボディの受水口の蓋体を開くステップと、前記上部ボディの内部の円形テーブルに円形状に配列される複数のサンプル容器のうちのいずれか１つを前記受水口の下部に位置合わせするステップと、前記コントロールボックスのメモリに保存されている所定の作動条件に従い、前記コントロールボックスのコントローラーが前記駆動部を制御して、前記円形テーブルを回転させ、前記複数のサンプル容器を所定の時間おきに順次に回転させるステップと、を含む。
【００１９】
一実施の形態において、自動降水サンプラーシステムの作動方法は、前記回転させるステップ後に、前記複数のサンプル容器への降水の採水が終わったときに前記所定の作動条件に従い前記受水口を覆うステップを更に含んでいてもよい。前記コントロールボックスのタッチスクリーンには、前記ステップにおけるシステム状態や作動条件が表示されてもよい。
【発明の効果】
【００２０】
上述したように、本発明の自動降水サンプラーシステム及びその作動方法を用いる場合には、人工増雪や人工降雨において実験効果を検証するときに人間が自ら作業しなければならないという制約をほとんど無くすことができる。
【００２１】
また、本発明によれば、時間に伴うシーディング効果を効率よく確認することができるというメリットがある。
【図面の簡単な説明】
【００２２】
【図１】本発明の一実施の形態による自動降水サンプラーシステム（以下、簡略に自動降水サンプラーと称する。）に対する部分透視正面図である。
【図２】図１の自動降水サンプラーの平面図である。
【図３】図２の自動降水サンプラーから上部カバー及び自動カバー装置を取り外した構造に対する平面図である。
【図４】図１の自動降水サンプラーの円形テーブルを説明するための正面図である。
【図５】図１の自動降水サンプラーに採用可能な駆動部の例示図である。
【図６】図１の自動降水サンプラーに採用可能なコントロールボックスの例示図である。
【発明を実施するための形態】
【００２３】
本発明は、様々な変更を加えることができ、種々の実施形態を有し得るが、特定の実施形態を図面に例示し、且つ詳細に説明する。しかしながら、これは、本発明を特定の実施形態に限定することを意図するものではなく、本発明の思想及び技術範囲に含まれるあらゆる変更、均等物若しくは代替物を含むものと理解されるべきである。各図面についての説明のしやすさのために、同じ構成要素には同じ参照符号を付する。
【００２４】
第１、第２、Ａ、Ｂなどの用語は、様々な構成要素を説明する上で使用可能であるが、これらの構成要素は、これらの用語により限定されてはならない。これらの用語は、ある構成要素を他の構成要素から区別する目的でのみ用いられる。例えば、本発明の権利範囲を逸脱しない範囲内において、第１の構成要素は第２の構成要素と命名可能であり、同様に、第２の構成要素もまた第１の構成要素と命名可能である。及び／又はという用語は、複数の関連する記載項目の組み合わせ又は複数の関連する記載項目のうちのいずれか一つの項目を含む。
【００２５】
ある構成要素が他の構成要素に「連結されて」いると言及されたときや、「接続」されていると言及されたときには、その他の構成要素に直結されていてもよく、直接的に接続されていてもよいが、これらの間に他の構成要素が介在されていてもよいと理解されるべきである。これに対し、ある構成要素が他の構成要素に「直結されて」いると言及されたときや、「直接的に接続されて」いると言及されたときには、これらの間に他の構成要素が存在しないと理解されるべきである。
【００２６】
本明細書において用いられた用語は、単に特定の実施形態を説明するために用いられたものに過ぎず、本発明を限定する意図を有するものではない。単数の表現は、文脈からみて、別途に断りのない限り、複数の表現を含む。本明細書において、「含む」、「備える」、「有する」などと関連する用語は、明細書の上に記載されている特徴、数字、段階、動作、構成要素、部品又はこれらを組み合わせたものが存在することを指し示すためのものに過ぎず、一つ又はそれ以上の他の特徴や数字、段階、動作、構成要素、部品又はこれらを組み合わせたものの存在又は付加可能性を予め排除しないものと理解されるべきである。
【００２７】
本明細書において、別途に断りのない限り、技術的又は科学的な用語をはじめとして、ここで用いられるあらゆる用語は、本発明が属する技術分野において通常の知識を有する者により一般的に理解されるものと同じ意味を含む。一般的に用いられる、辞書に定義されているような用語は、関連する記述の文脈上の意味と一致する意味であると解釈されてはならず、本明細書において明らかに定義しない限り、理想的な意味や過度に形式的な意味であると解釈されない。
【００２８】
以下、添付図面に基づいて、本発明の好適な実施の形態による自動降水サンプラーシステム及びその作動方法について詳細に説明する。
【００２９】
図１は、本発明の一実施の形態による自動降水サンプラーシステム（以下、簡略に自動降水サンプラーと称する。）に対する部分透視正面図である。図２は、図１の自動降水サンプラーの平面図である。
【００３０】
図１を参照すると、本実施の形態による自動降水サンプラー１００は、メインボディ１０と、駆動部２０と、円形テーブル３０及びコントロールボックス４０を備える。図１において、漏斗の一部、漏斗感知センサー５１、容器感知センサー５２、受水口１６の一部、カバー装置１８及び駆動部２０の支持フレームの下端部は、メインボディ１０の上部ボディ１３の前面に透視されて示されている。
【００３１】
メインボディ１０は、システムの構成要素を収納し且つ保護し、少なくとも１つ以上の構成要素が特定の高さや個所に位置するように機能してもよい。メインボディ１０により限定又は形成される領域内には駆動部２０が配置されてもよい。なお、メインボディ１０により限定又は形成される領域内には円形テーブル３０が配置されてもよい。円形テーブル３０は、駆動部２０により少なくとも部分的に回転されてもよい。
【００３２】
円形テーブル３０の上には、複数のサンプル容器（３３ａを含む）が配列されてもよい。複数のサンプル容器は、円形テーブル３０の中心部から所定の間隔だけ離間された多数の放射方向の上に互いに等間隔に配置されてもよい。また、複数のサンプル容器のそれぞれの上部には漏斗（３４ａを含む）が配列されてもよい。漏斗のうちの少なくとも１つは、対応するサンプル容器に係合されてもよい。なお、漏斗のうちの少なくとも１つは、対応するサンプル容器と係合関係を保った状態で円形テーブル３０に固定されてもよい。
【００３３】
メインボディ１０の外部には、コントロールボックス４０が配置されてもよい。コントロールボックス４０は、駆動部２０に連結され、駆動部２０の動作を制御してもよい。なお、コントロールボックス４０は、メインボディ１０の上部側に配備又は係合するカバー装置１６のアクチュエーター１８の動作を制御してもよい。
【００３４】
メインボディ１０についてより具体的に説明すれば、下記の通りである。
【００３５】
メインボディ１０は、コントロールボックス４０を除いては、ボックス状を呈してもよい（図２及び図４参照）。ボックス状のコントロールボックス４０のサイズは、横、縦及び高さがそれぞれ約９７０ｍｍ、約９７０ｍｍ及び１,２００ｍｍであってもよい。メインボディ１０は、下部フレーム１２及び上部ボディ１３により構成されてもよい。
【００３６】
下部フレーム１２は、横フレーム及び縦フレームを備えていてもよく、各フレームは、四角パイプ状に配設されてもよい。なお、下部フレーム１２の下部には、 調節子ボルト又は調節子１１が配備されてもよく、その場合、調節子１１を用いて底面ベースにアンカーボルトで装備又はシステムを固定してもよい。
【００３７】
上部ボディ１３は、四角ボックス状のボディの一方の面（前面）及び他方の面（背面）に配置される扉１４を備えていてもよい。扉１４は、中央部に配設されるウィンドウ１４ｗを備えていてもよい。ウィンドウ１４ｗは、作業者が外部から上部ボディ１３の内部を覗けるように機能してもよい。扉１４は、片側方向に開閉可能な構造を備えていてもよい。
【００３８】
上部ボディ１３の内部には、温度を２０℃に保つための小型ヒーターが設けられてもよい。また、上部ボディ１３の内側には、保温のための断熱材が配置されてもよい。断熱材としては、フォームパネルなどを用いることができ、断熱材の厚さは、約５ｍｍであってもよい。
【００３９】
上部ボディ１３は、その上部の全体が開閉可能な構造を備えていてもよい。このために、上部ボディ１３の上部カバー１５の一方の側には、上部カバー１５及び上部メインボディを蝶合するヒンジ部１５ｈが配設されてもよい。
【００４０】
また、上部ボディの上部カバー１５は、斜設されてもよい。上部カバー１５は、一方の端から他方の端まで海水面に対応する水平面やここに含まれる水平線を基準として約６°の勾配を有するように配設されてもよい。このような上部カバー１５の構造や配置によれば、上部カバー１５の上に落下する雪や雨水などは重力により上部カバー１５の上から上部ボディ１３の下に落下することができる。
【００４１】
上部ボディ１３は、上部カバー１５の中心から所定の間隔だけ離間された個所や上部カバー１５の片側領域に配置される受水口１６を備えていてもよい。受水口１６は、上部カバー１５の上に突出してもよく、これにより、上部カバー１５は、受水口１６が位置する第１の領域Ａ１及び第２の領域Ａ２に画成され、第１の領域Ａ１と第２の領域Ａ２との間の境界には段差部１５ａが配置されてもよい（図２参照）。
【００４２】
上部カバー１５の中心から受水口１６の中心までの距離は、約３００ｍｍであってもよく、受水口１６の直径は、約１９０ｍｍであってもよい。受水口１６は、上部ボディ１３又は上部カバー１５に係合するカバー装置１８により開閉可能である。
【００４３】
カバー装置１８は、別途の駆動ユニットにより作動される自動カバー装置を備えていてもよい。カバー装置１８は、 開き戸の方式により受水口の蓋体１７を開閉してもよい。このために、カバー装置１８は、蓋体１７に係合するホルダー１９を備え、ホルダー１９を伸縮させたり、時計回り方向若しくは反時計回り方向に回転させたりしてもよい。なお、上部カバー１５には、積雪の除去のための熱線が取り付けられてもよい。
【００４４】
更に、上部ボディ１３は、その下部に配設された排水管１４ｄを備えていてもよい。排水管１４ｄは、上部ボディ１３の内部の底面からボディの底面を貫通して上部ボディ１３の外部の下部に向かって延びてもよい。排水管１４ｄは、受水口１６を介して上部ボディ１３の内部に流れ込んだ降水のうちサンプル容器３３ａに入れられない水を上部ボディ１３の外部に排出してもよい。
【００４５】
次いで、円形テーブル３０と、駆動部２０及びコントロールボックス４０について図３から図６に基づいて説明する。
【００４６】
図３は、図２の自動降水サンプラーから上部カバー及び自動カバー装置を取り外した構造に対する平面図である。図４は、図１の自動降水サンプラーの円形テーブルを説明するための正面図である。
【００４７】
図３及び図４を参照すると、本実施の形態による自動降水サンプラー１００において、円形テーブル３０は、上部ボディ１３の内部において駆動部により回転可能なように配置される。
【００４８】
円形テーブル３０は、円盤状の駆動板３１と、駆動板３１に一方の端が係合して駆動板３１から放射状に配置される複数の容器ホルダー支持部３２と、各容器ホルダー支持部３２の他方の端に配置されるサンプル容器３３ａと、を備えていてもよい。
【００４９】
サンプル容器３３ａの支持又は固定のために、各容器ホルダー支持部３２の他方の端には容器ホルダー３２ａが配置されてもよい。各サンプル容器３３ａの所定の部分は、対応する容器ホルダー３２ａに嵌入してもよい。容器ホルダー３２ａは、サンプル容器３３ａを円形テーブル３０の上に載置する。容器ホルダー３２ａは、下部ブラケットホルダー（ｌｏｗｅｒ ｂｒａｃｋｅｔ ｈｏｌｄｅｒ）と称してもよい。
【００５０】
また、円形テーブル３０は、円形状の駆動板３１に一方の端が係合して駆動板３１から放射状に配置される複数の漏斗支持部３５を備えていてもよい。各漏斗支持部３５はリング状を呈し、プラスチック製の使い捨て漏斗を円形テーブルの上に載置してもよい。
【００５１】
漏斗３４ａ〜３４ｉは、それぞれの対応する漏斗支持部３５に嵌入して漏斗の上端部が漏斗支持部３５に接触し、その下端部が吊り下がるように配置されてもよい。各漏斗の下端部は、対応するサンプル容器の上端の開口部内に所定の深さで嵌入してもよい。
【００５２】
各サンプル容器３３ａ及びこれと対応する漏斗の対は、円形テーブル３０の中心から所定の距離だけ離間された放射状の位置に互いに等間隔に隔設されてもよい。ここで、所定の距離は、 円形テーブルの直径の半分に対応し、約３００ｍｍ〜約３２０ｍｍであってもよい。
【００５３】
各サンプル容器及びこれと対応する漏斗の積層配列のために、各容器ホルダー支持部３２は、駆動板３１に連結される一方の端と容器ホルダー３２が配置される他方の端との間に配設される段差部３２ｄを備えていてもよい。積層配列は、少なくとも１つのサンプル容器の上に漏斗を配置することを含む。漏斗は、使い捨てのプラスチック材質により作製されてもよい。漏斗３４ａ〜３４ｉのうちのいずれか１つは、受水口１６と一方向に同軸状に配列されてもよい。受水口１６の直径は１９ｃｍであって、現業において用いられている雨量計の直径と略同じであってもよい。
【００５４】
円形テーブル３０は、直径７５０ｍｍ〜８６０ｍｍのアルミニウム素材により作製されてもよい。本実施の形態においては、円形テーブル３０は、その中心に位置する駆動板３１の軸（又は、中心軸）を基準として９段（Ｓｔｅｐ）に分割されて回転してもよい。駆動板３１は、駆動部により回転する駆動軸２３に係合して駆動軸２３の回転につれて回転してもよい。
【００５５】
一方、円形テーブル３０は、９個のサンプル容器を用いる構成に何等限定されるものではなく、８個、１０個などのサンプル容器を用いるように構成されてもよい。偶数個のサンプル容器を用いる場合、円形テーブル３０の横断面においてサンプル容器は対称状を呈してもよい（図４参照）。
【００５６】
本実施の形態によれば、自動降水サンプラーには、９個の採水容器、すなわち、サンプル容器が配設されてもよく、採水時間を１時間に設定すれば、９時間の間に採水サンプリングを行うことができる。外部の要因による汚れを極力抑えるために、降水の採水のための漏斗及び容器は、１時間が経過すれば、他の漏斗及び容器に移動及び取換えされてもよい。
【００５７】
図５は、図１の自動降水サンプラーに採用可能な駆動部の例示図である。
【００５８】
図５を参照すると、本実施の形態による自動降水サンプラーにおいて、駆動部２０は、モーター２１と、タイミングプーリー２１ａ、２３ａと、ベルト２２及び駆動軸２３を備える。駆動部２０は、モーター２１の回転力で駆動軸２３に連結される円形テーブルの駆動板３１を回転させてもよい。
【００５９】
モーター２１としてステッピングモーターを適用して、駆動板３１又は円形テーブルを９分割インデックス動作（１回転当たり）させてもよい。モーター２１は、支持フレーム２４により立設され、モーター２１の回転力は第１のタイミングプーリー２１ａ及びベルト２２を介して第２のタイミングプーリー２３ａに伝達され、第２のタイミングプーリー２３ａに連結された駆動軸２３の回転につれて駆動軸２３に直結された円形テーブルを回転させてもよい。駆動軸２３は、支持フレーム２４の一方の側に立設された軸受けにより支持されてもよい。
【００６０】
一方、本発明の実施の形態による自動降水サンプラーは、駆動部の監視及び制御のためのセンサーを備えていてもよい。センサーは、漏斗やサンプル容器が特定の個所に存在するか否かを感知する少なくとも１つのセンサーを備える（図１の５１、５２参照）。センサーとしては、赤外線センサー、光センサー、ビジョンセンサーなどが用いられてもよい。センサーにより特定の個所に漏斗及びサンプル容器のうちのいずれか一方が位置していないことが感知されれば、コントロールボックス内のコントローラーは、円形テーブルの現在のステップをパスして次のステップに移行してもよい。
【００６１】
また、センサーは、原点センサーを備えていてもよい。原点センサーは、円形テーブルの動作の初期位置を設定するのに用いられてもよい。センサー信号により円形テーブルが定位置ではない個所において作動／起動したことが感知されれば、コントローラーはオーバーステップ又はバックステップを行って円形テーブルを定位置に戻してもよい。
【００６２】
図６は、図１の自動降水サンプラーに採用可能なコントロールボックスの例示図である。
【００６３】
図６を参照すると、本実施の形態による自動降水サンプラーにおいて、コントロールボックス４０は、メインボディの上部ボディの側面に取り付けられてもよい。コントロールボックス４０には、屋外に配設するときに雨水などが染み込んだり錆付いたりすることを防ぐために、防水処理又はさび止め塗料の塗装処理が施されてもよい。
【００６４】
コントロールボックス４０は、その上部に配設されたアラームランプ４１を備えていてもよい。また、コントロールボックス４０は、その前面に５インチのタッチスクリーン４２と電源ボタン４３、非常停止ボタン、手動／自動調整器（ｓｌｅｃｔｏｒ）、原点ランプ、リセットランプ、温度調節器４４などが配設されてもよい。
【００６５】
タッチスクリーン４２には、装備の作動に必要な情報などが表示されてもよく、装備の作動条件などが設定されていてもよい。例えば、表示情報や設定情報は、手動動作、作動時間の調整、自動運転の動作／停止、作動時間情報及び残余作動時間、円形テーブルのステップ運転、上部受水口カバーの開／閉などを含んでいてもよい。
【００６６】
コントロールボックス４０の内部には、プロセッサー及びメモリが配備されてもよい。また、コントロールボックス４０は、外部の商用電源やバッテリ電源から電力を供給されてもよい。コントロールボックス４０に供給される電源は、単相２２０Ｖ、６０Ｈｚであってもよいが、本発明はこれに何等限定されない。コントロールボックス４０は、メインボディ、駆動部などの構成要素に供給される電力を制御してもよい。
【００６７】
上述した実施の形態による自動降水サンプラーの作動方法を例示すれば、下記の通りである。
【００６８】
自動降水サンプラーのコントロールボックス４０の前面制御板における開始ボタンを押下すれば、最初に蓋体が自動的に開かれながら駆動板が動いて初期の位置に位置合わせされる。合計で９個のプラスチック製の使い捨て漏斗及びサンプル容器を配置して、１時間当たりに１つのサンプル容器への降水の採水が行われるように設定してもよい。
【００６９】
降水の採水時間は、設定タイマーにより調節可能である。採水時間を１時間に設定すれば、１時間の間に採水が行われ、蓋体は開かれたままで駆動板を有する円形テーブルが１ステップ回転して、次のサンプル容器が受水口の下に移動して位置合わせされ、位置合わせされたサンプル容器に所定の時間の間に降水を受け、設定された時間やサンプル容器の数に見合う分だけの容器への降水受けを繰り返し行った後、指定された全てのサンプル容器への降水受けが終わったら蓋体が閉じられ、自動的に降水の採水が終わってもよい。
【００７０】
上述した実施の形態による自動降水サンプラーを採用する場合には、雲の物理研究及び気象調節効果を科学的に且つ持続的に検証するために人工増雨（増雪）実験の前後に降る雨及び雪を採集してその効果を効率よく分析することができる。
【００７１】
また、コントロールボックスに配設されたタッチスクリーンを用いて装備（自動降水サンプラー）の作動に必要な情報を表示し且つ制御することにより、ユーザーの使い勝手を大幅に高めることができる。
【００７２】
更に、装備の上部及び内部には温度を保つためのヒーター及び熱線が配置されて、降雪時であっても自動的に降水をサンプリングするように作動することができるというメリットがある。
【００７３】
以上、本発明の好適な実施形態を参照して説明したが、当該技術分野における熟練された当業者であれば、下記の特許請求の範囲に記載の本発明の思想及び領域から逸脱しない範囲内において本発明を種々に修正及び変更することができるということが理解できる筈である。
【図１】
2018141783.tif 000003
【図２】
2018141783.tif 000004
【図３】
2018141783.tif 000005
【図４】
2018141783.tif 000006
【図５】
2018141783.tif 000007
【図６】
2018141783.tif 000008